(57)【要約】【課題】商品を詰め合わせて重くなったケースを持ち上げるのに爪先や指先に負担が掛からず、容易に持ち上げることができる包装用ケースを提供する。【解決手段】底板Ａの左右に折り線ｅを介して差し込みフラップＢ３を設けた左右外側板Ｂを、左右外側板Ｂの両側に折り線ｆを介して左右天縁Ｂ１を、左右天縁Ｂ１の両側に折り線ｇを介して切込みＢ４と係止片Ｂ５と半円形の切込みＢ６とを設けた左右内側板Ｂ２を連設し、底板Ａの上下に折り線ｈを介して上下外側板Ｃを、上下外側板Ｃの上下に折り線ｉを介して上下天縁Ｃ１を、上下天縁Ｃ１の上下に折り線ｊを介して差し込みフラップＣ３と切込みＣ４とを設けた上下内側板Ｃ２を連設し、上記折り線ｅの中間を分岐させて紡錘状の折り線ｋとした展開形状の台紙Ｐを組立てて底板と側板とが突き合う稜線部分Ｑに面取り部Ｒを形成させてなる。【選択図】  図１
2005008169.tif 000002
【特許請求の範囲】
【請求項１】
底板の四周から側板を立ち上げてなる包装用ケースにおいて、底板と側板とが突き合って形成される稜線部分に、面取り部分を形成したことを特徴とする包装用ケース。
【請求項２】
底板の四周に折り線を介して側板を連設して展開形状に裁断した台紙において、少なくとも相対向する上記折り線を、その中間で分岐させて紡錘状に形成し、この展開形状の台紙を組立てて底板と側板とが突き合う稜線部分に面取り部を形成させたことを特徴とする包装用ケース。
【請求項３】
底板Ａの左右に折り線ｅ，ｅを介して差し込みフラップＢ３，Ｂ３を設けた左右外側板Ｂ，Ｂを、左右外側板Ｂ，Ｂの両側に折り線ｆ，ｆを介して左右天縁Ｂ１，Ｂ１を、左右天縁Ｂ１，Ｂ１の両側に折り線ｇ，ｇを介して切込みＢ４，Ｂ４と係止片Ｂ５，Ｂ５と半円形の切込みＢ６，Ｂ６とを設けた左右内側板Ｂ２，Ｂ２を連設し、底板Ａの上下に折り線ｈ，ｈを介して上下外側板Ｃ，Ｃを、上下外側板Ｃ，Ｃの上下に折り線ｉ，ｉを介して上下天縁Ｃ１，Ｃ１を、上下天縁Ｃ１，Ｃ１の上下に折り線ｊ，ｊを介して差し込みフラップＣ３，Ｃ３と切込みＣ４，Ｃ４とを設けた上下内側板Ｃ２，Ｃ２を連設し、上記折り線ｅ，ｅの中間を分岐させて紡錘状の折り線ｋ，ｋとした展開形状の台紙Ｐを組立てて底板と側板とが突き合う稜線部分Ｑに面取り部Ｒを形成させたことを特徴とする包装用ケース。
【発明の詳細な説明】
【０００１】
【発明の属する技術分野】
この発明は、ギフトセットなどの包装用ケースに関する。
【０００２】
【従来の技術】
商品を詰め合わせ包装用ケースは、内部に仕切りを設け商品を収容するケースと蓋とからなるのが一般的である。
【０００３】
【発明が解決しようとする課題】
商品を詰め合わせた包装用ケースをテーブル上に置いたり、積み上げた状態から該包装用ケースを取り上げようとするとき、テーブルとケースとの間、あるいは積み上げられたケースの間に指先が入らず、つま先または指先を僅かな隙間に差し入れてケースを浮き上がらせてから本格的に指を差し入れてケースを持ち上げるようにしている。
【０００４】
このような作業において、働き盛りの人は爪先または指先に力が入るが、女性、高齢者、子供では、その力が弱くケースを持ち上げるのに難儀をしており、働き盛りの作業者でも、上記作業を長時間繰り返していると疲れが出て持ち難くなる。
【０００５】
上記状況に鑑みこの発明は、商品を詰め合わせて重くなったケースを持ち上げるのに爪先や指先に負担が掛からず、容易に持ち上げることができる包装用ケースを提供することを課題とする。
【０００６】
【課題を解決するための手段】
上記課題を解決するためにこの発明は、底板の四周から側板を立ち上げてなる包装用ケースにおいて、底板と側板とが突き合って形成される稜線部分に、面取り部分を形成したものであり、具体的には、底板の四周に折り線を介して側板を連設して展開形状に裁断した台紙において、少なくとも相対向する上記折り線を、その中間で分岐させて紡錘状に形成し、この展開形状の台紙を組立てて底板と側板とが突き合う稜線部分に面取り部を形成するもので、さらに具体的には、底板Ａの左右に折り線ｅ，ｅを介して差し込みフラップＢ３，Ｂ３を設けた左右外側板Ｂ，Ｂを、左右外側板Ｂ，Ｂの両側に折り線ｆ，ｆを介して左右天縁Ｂ１，Ｂ１を、左右天縁Ｂ１，Ｂ１の両側に折り線ｇ，ｇを介して切込みＢ４，Ｂ４と係止片Ｂ５，Ｂ５と半円形の切込みＢ６，Ｂ６とを設けた左右内側板Ｂ２，Ｂ２を連設し、底板Ａの上下に折り線ｈ，ｈを介して上下外側板Ｃ，Ｃを、上下外側板Ｃ，Ｃの上下に折り線ｉ，ｉを介して上下天縁Ｃ１，Ｃ１を、上下天縁Ｃ１，Ｃ１の上下に折り線ｊ，ｊを介して差し込みフラップＣ３，Ｃ３と切込みＣ４，Ｃ４とを設けた上下内側板Ｃ２，Ｃ２を連設し、上記折り線ｅ，ｅの中間を分岐させて紡錘状の折り線ｋ，ｋとした展開形状の台紙Ｐを組立てて底板と側板とが突き合う稜線部分Ｑに面取り部Ｒを形成させてなるものである。
【０００７】
上記の如く構成するこの発明によれば、上記面取り部分により、ケースの底に指が入り易くなり、商品を詰め合わせて重くなったケースの底に爪先や指先を差し込んでケースを浮きあがらせる必要が無く、容易にケースを持ち上げることができる。
【０００８】
なお、ケースの素材として、ボール紙、段ボールのいずれでも採用することができる。
【０００９】
【発明の実施の形態】
次に、この発明の実施形態を、図面を参照しながら説明する。図１は、段ボールを素材としてケースの展開状態に裁断した状態をしめす。
【００１０】
底板Ａの左右に折り線ｅ，ｅを介して差し込みフラップＢ３，Ｂ３を設けた左右外側板Ｂ，Ｂを、左右外側板Ｂ，Ｂの両側に折り線ｆ，ｆを介して左右天縁Ｂ１，Ｂ１を、左右天縁Ｂ１，Ｂ１の両側に折り線ｇ，ｇを介して切込みＢ４，Ｂ４と係止片Ｂ５，Ｂ５と半円形の切込みＢ６，Ｂ６とを設けた左右内側板Ｂ２，Ｂ２を連設し、底板Ａの上下に折り線ｈ，ｈを介して上下外側板Ｃ，Ｃを、上下外側板Ｃ，Ｃの上下に折り線ｉ，ｉを介して上下天縁Ｃ１，Ｃ１を、上下天縁Ｃ１，Ｃ１の上下に折り線ｊ，ｊを介して差し込みフラップＣ３，Ｃ３と切込みＣ４，Ｃ４とを設けた上下内側板Ｃ２，Ｃ２を連設し、上記折り線ｅ，ｅの中間を分岐させて紡錘状の折り線ｋ，ｋとした展開形状の台紙Ｐを組立てて底板と側板とが突き合う稜線部分Ｑに面取り部Ｒを形成させてなるものである。
【００１１】
上記台紙Ｐの組立ては、フラップＢ３，Ｂ３をそれぞれ折り線ｌ，ｌに沿って内側に折り、左右外側板Ｂ，Ｂを折り線ｅ，ｅに沿って起こすと折り線ｋ，ｋによって稜線部分Ｑに面取り部Ｒができる。このとき左右内側板Ｂ２，Ｂ２は折り曲げない。
【００１２】
次に、上下外側板Ｃ，Ｃを折り線ｈ，ｈに沿って起こし、フラップＣ３，Ｃ３を折り線ｍ，ｍに沿って外に折り曲げ、上下内側板Ｃ２，Ｃ２を折り線ｉ，ｉとｊ，ｊに沿って１８０度折り曲げ上下天縁Ｃ１，Ｃ１を形成しながら、上下外側板Ｃ，Ｃと上下内側板Ｃ２，Ｃ２との間に先行のフラップＢ３，Ｂ３を挟みこむようにする。
【００１３】
次に、左右内側板Ｂ２，Ｂ２を折り線ｆ，ｆとｇ，ｇに沿って１８０度折り曲げるが、このとき切込みＢ４，Ｂ４により先行のフラップＣ３，Ｃ３は回避され、上下内側板の両端に形成した切込みＣ４，Ｃ４に係止片Ｂ５，Ｂ５が嵌って包装用ケースは完成する。
【００１４】
なお、実使用においては図２に示すように、詰め合わせ商品Ｓの仕切り板Ｔや図示しない蓋体は公知の技術により適宜製作したものが適用される。
【００１５】
上記の如くしてなる本発明の包装用ケースでは、図３に示すように底板と側板とが突き合う稜線部分に面取り部が形成しているので爪先あるいは指先が引っかかり易く容易に持ち上げることができる。
【００１６】
上記実施の形態では、折りたたみ方式で包装用ケースを製作したが、本発明は、底板の四周に折り線を介して連設された側板を、上記折り線に沿って立ち上げたときにできる稜線部分に面取り部を形成するため、上記折り線を、その中間で分岐させて紡錘状とすることが本旨であるから、折りたたみ方式に限らず、側板を起こしてステープルで止める方式、糊代を設けて貼り付ける方式など公知の製箱法で製作されたものを対象とする。また、素材を段ボールとしたがこれに限らず全ての素材で製箱したものを対象とする。
【００１７】
【発明の効果】
以上説明したように、底板と側板とが突き合う稜線部分に面取り部が形成されているので、商品を詰め合わせて重くなったケースの底に爪先あるいは指先を差し込み易くなり容易にケースを持ち上げることができるようになった。
【図面の簡単な説明】
【図１】この発明の実施例に係る包装用ケースの展開図
【図２】同斜視図
【図３】持ち易くなった状態の説明図
【符号の説明】
Ａ  底板
Ｂ  左右外側板
Ｂ１  左右天縁
Ｂ２  左右内側板
Ｂ３  フラップ（左右外側板の）
Ｂ４  切込み（左右内側板の）
Ｂ５  係止片
Ｂ６  半円形の切込み
Ｃ  上下外側板
Ｃ１  上下天縁
Ｃ２  上下内側板
Ｃ３  フラップ（上下内側板の）
Ｃ４  切込み（上下内側板の）
Ｐ  台紙
Ｑ  稜線部分
Ｒ  面取り部
Ｓ  商品
Ｔ  仕切り板
ｅ，ｆ，ｇ，ｈ，ｉ，ｊ，ｋ，ｌ，ｍ  折り線
【図１】
2005008169.tif 000003
【図２】
2005008169.tif 000004
【図３】
2005008169.tif 000005